(57)【特許請求の範囲】
【請求項１】
シートフレームに固定するように構成された上部および下部端部を有する少なくとも１つのガイドロッド（２）と、
上部および下部部材（６および８）を有しており、前記上部および下部部材（６および８）の少なくとも一方が前記少なくとも１つのロッド（２）と摺動するように係合されるアーチ圧力表面（４）と、
前記アーチ圧力表面（４）上部および下部部材（６および８）の少なくとも一方と係合されることにより、前記上部および下部部材（６および８）の少なくとも一方が、前記少なくとも１つのガイドロッド（２）に沿って前記上部および下部部材（６および８）の他方に向かって移動するように構成され、それによって前記アーチ圧力表面（４）がアーチ状にされるアーチ形成アクチュエータと、
作動時に、振動が前記ガイドロッド（２）と前記アーチ圧力表面（４）とを介してシート着席乗員に伝達されるように前記ガイドロッド（２）に固定されるバイブレータ（２６）と、
を備えるシート用振動ランバサポート。
【請求項２】
前記バイブレータ（２６）は電磁的に作動される、請求項１に記載のシート用振動ランバサポート。
【請求項３】
前記バイブレータ（２６）は偏心重量形モータで作動される、請求項１に記載のシート用振動ランバサポート。
【請求項４】
前記バイブレータ（２６）は空気パルスシステムで作動される、請求項１に記載のシート用振動ランバサポート。
【請求項５】
前記アーチ状機構はけん引機構である、請求項１から請求項４に記載の振動ランバサポート。
【請求項６】
前記けん引機構はボーデン索である、請求項５に記載の振動ランバサポート。
【請求項７】
前記バイブレータ（５４）の振動板（２２）から前記アーチ圧力表面（４）に至る延長部をさらに備え、前記延長部は、前記アーチ圧力表面（４）のアーチの程度に関係なく前記アーチ圧力表面（４）との接触を維持する付勢装置を有し、前記バイブレータ（５４）の振動を前記アーチ圧力表面（４）に伝える、請求項１から請求項６に記載のシート用振動ランバサポート。
【請求項８】
少なくとも１つのガイドロッド（２）に固定されたアンカプレート（６２）と、
前記アンカプレート（６２）に取り付けられるボーデン索導管（６６）及び前記アーチ圧力表面（４）に取り付けられるボーデン索ケーブル（７０）を備え前記アーチ圧力表面（４）を昇降させるボーデン索とをさらに備える、請求項１から請求項７に記載のシート用振動ランバサポート。
【請求項９】
シートフレームに取り付けられるように構成された取付支持体（１００）と、
前記取付支持体（１００）に取り付けられており、アーチ状部材に適合するように構成されたアーチ状チャネルを有するハウジング（１０２）と、
表面端部と摺動端部とを有するパドル（１０４）であって、前記摺動端部が前記アーチ状チャネルに適合するアーチ状部材を形成しかつ前記アーチ状チャンネルと緊密に提携して移動することにより前記パドル（１０４）を水平方向および垂直方向に同時に延ばすように構成されているパドル（１０４）と、
前記パドル（１０４）の前記摺動端部に取り付けられており、前記パドル（１０４）の前記移動を仲介し、前記取付支持体（１００）にアンカ固定されるけん引機構と、
シート着席乗員に振動を伝達するために、振動が前記取付支持体（１００）、前記ハウジング（１０２）および前記パドル（１０４）を介して伝達されるように、前記取付支持体（１００）に固定されたバイブレータ（１１２）と、
を備えるシート用振動ランバサポート。
【請求項１０】
前記ハウジング（１０２）に固定され、かつ前記取付支持体（１００）と摺動するように係合される基部と、
前記ハウジング（１０２）に取り付けられ、前記基部、前記ハウジング（１０２）および前記パドル（１０４）を昇降させる昇降機と、
をさらに備える請求項９に記載のシート用振動ランバサポート。
【請求項１１】
前記取付支持体（１００）は裏板である、請求項９または１０に記載のシート用振動ランバサポート。
【請求項１２】
前記バイブレータ（１１２）は電磁的に作動される、請求項９から１１のいずれかに記載のシート用振動ランバサポート。
【請求項１３】
前記バイブレータ（１１２）は偏心重量形モータによって作動される、請求項９から１１のいずれかに記載のシート用振動ランバサポート。
【請求項１４】
前記バイブレータ（１１２）は空気パルスシステムによって作動される、請求項９から１１のいずれかに記載のシート用振動ランバサポート。
【請求項１５】
請求項1から請求項１４記載のランバサポートが取り付けられるシートフレームを備えたシート。
【発明の詳細な説明】
【技術分野】
【０００１】
関連出願の相互参照
該当なし。
連邦政府支援研究または開発に関する供述書
該当なし。
マイクロフィッシュ付属物の参照
該当なし。
発明の分野
本発明は、ランバサポートと、ランバサポートを振動させる方法および装置とに関する。
【背景技術】
【０００２】
背景
シートに着席する人、特に自動車の乗員の快適さの向上を対象とした構成要素は、ますます大規模かつ複合的な市場となってきている。シートの限られたスペースへの設置に現在入手可能な人間工学的装置は、ランバサポートのような姿勢支持機構、マッサージ器やバイブレータのような長期間の姿勢に関わる不快感を改良する機構、および均一温度調整ダクトを含む。スペースを確保し、素材、梱包および組立のコストを低減し、自動車、ボート、航空機、事務用家具、物理療法設備などの製造者にそれらのシートに対し組み合わせられた特徴の全機能を提供する絶え間ない技術的な要望がある。
【０００３】
カスタマイズ可能なランバサポート装置は公知である。一般に、それらは、アーチ圧力板、アーチプッシュパドル、アーチ圧力バスケット、アーチリブ、空気圧ブラダ、または整形可能な波状ワイヤのような多様な群に分類されても良い。概して、これらの群のそれぞれは、機械的手段、一般にボーデン索、電動機、または電動空気ポンプで作動される。アーチ圧力板は、圧縮またはけん引でアーチ状にされても良い。カスタマイズ可能なランバサポートの設置手段は、シートフレームまたは裏板への直付け、シートフレームへのランバサポートガイドロッドの取付、またはシートクッション背後のワイヤマット上へのクランプ固定による組立を含む。
【０００４】
カスタマイズ可能なランバサポートは、出たり入ったりするだけでなく、上下に動くように設計されており、支持体の多様な構成は、単独または組合せで、多様な本体部分を支持するようになっている。
【０００５】
バイブレータは公知であり、電磁石、空気パルスまたは偏心重量を有するモータによる作動からなる。これらの装置は、単にシートに組み込まれ、それでバイブレータのプレートを、着席乗員に面するクッションと接触させるために単にそれらを固定ワイヤマット（静止ランバサポート）にクランプすることによる。
【０００６】
マッサージ機構は、シートに設置されたカスタマイズ可能なランバサポートに組み込まれ、多様なランバサポート構造と組み合わされている。但し、これらの機構は高価且つ嵩高である。これは、大型の、高級自動車には有用であるが、コストが問題となる小型モデルにはそうではない。ランバサポート機構は、コンパクトで経済的に製造できるが、それらが乗員の好みに調整された後は、それらは固定されたままとなる。
【発明の開示】
【発明が解決しようとする課題】
【０００７】
経済的且つコンパクトとなるカスタマイズ可能な姿勢支持体と姿勢の不快感の改良とを組み合わせる装置に対する技術的な要望がある。このような装置は、シート製造者に固定ランバサポートと全ての腰椎マッサージオプションの間の新中間層製品となる。
【課題を解決するための手段】
【０００８】
発明の簡単な概要
本発明は、振動するカスタマイズ可能なランバサポートである。好ましい実施形態では、電磁石は、２つの垂直ガイドロッド間に配置することによってアーチ形成ランバサポートと協働するような寸法にされる。アーチ圧力表面は、上部および下部摺動接続におけるこれらのロッドに沿って摺動する。アーチの形状は、けん引装置、すなわち、ボーデン索の乗員による調節で可変である。一旦調節されると、圧力表面は、再び調節されるまで選択された形状を保つ。
【０００９】
振動ユニットは、ボルトで共に平らに締結される２つの近接板を振動させる。本発明は、振動損失を保存するバイブレータをコンパクトに搭載し、力の大部分を２つの振動板間にガイドロッドを挟み込むことで着席乗員に移す。振動は、電磁石内で生じ、振動板を経て伝わり、次いでガイドロッドを経て、アーチ圧力表面を伝わり、シートクッションを経て乗員まで伝わる。
【００１０】
本発明は、取付、振動作動、振動伝搬、および振動するように製造されるランバサポート装置の多様な同等の実施形態を含むと考えられる。
【００１１】
本発明の様々な実施形態の構造や動作、ならびに本発明のさらなる特徴や利点は、添付の図を参照して以下で詳細に説明される。
【発明を実施するための最良の形態】
【００１２】
発明の詳細な説明
同一構成要素には同記号が付される添付の図を参照するに、図１は、本発明の側面図である。ガイドロッド２（第２のロッドは第１の背後に隠れている）は、その最上端部と最下端部のシートフレーム（図示せず）に固定されるように構成される。あるいは、同じようにガイドロッド２は、ワイヤの実質的に平面ウエブまたはネットワークであるワイヤマットに取り付けられるか、またはそれらは裏板に取り付けられても良い。あるいはおよび同様に、ガイドロッド２は、レール、棒、堅いワイヤ、または他の細い丈夫な要素であっても良い。
【００１３】
ここでは僅かにアーチ状になった位置で示されるアーチ圧力表面４は、上部部材６と下部部材８とにおいてガイドロッド２と係合する。４つのこれらの係合穴の全ては、ガイドロッド２に沿って摺動するか、または上部対または下部対のいずれか一方が摺動して、反対の他方の対が固定される。どちらの場合も、摺動するように係合された穴は、接合部の望ましくない振動を防ぐに足る堅さで接合部内のガイドロッド２と密接な提携関係にある。この摺動係合は、アーチ状にする力が加えられると圧力表面をアーチ状にさせる。
【００１４】
けん引ワイヤ１０は、１２において圧力表面上部部材に固定される。けん引ワイヤ１０は、ボーデン索導管１８を通って軸方向に摺動し、これは１４において圧力表面下部部材に固定される。けん引力は、バネ１６によって調節される。けん引力は、ワイヤ１０を導管１８内に引いて、相応じて固定導管台１４に向かって固定けん引ワイヤ台１２を引くことによって圧力表面をアーチ状にするボーデン索反対端（図示せず）において機械的または電気的に制御される。ボーデン索でのけん引力が緩和されると、その平面形状に戻す圧力表面の固有の付勢力がそのアーチを減少させる。
【００１５】
バイブレータは、ハウジング２６内に包囲される。振動板２０および２２は、それらの間でガイドロッド２を挟む。この固定された付属品は、ナットおよびボルト２４、または任意の同等締結具で保持される。バイブレータは、矢印Ａで示された軸に沿って振動し、振動板２２および２０を振動させる。振動は、ガイドロッド２を介して圧力表面４に、さらにそこからシートに座っている人に伝達される。
【００１６】
図２は、本発明の背面図である。図１で認識された要素に加えて、圧力表面の好ましいリブ構造が描かれ、複数のリブ３０を示す。リブ３０は、圧力表面４に固定されるか、または一枚の金属板から打ち抜くことによってそれと一体に製造される。
【００１７】
図１４、１５、および１６は、けん引ワイヤ、アーチ圧力表面、およびそれらの動作接続の代替構造の、それぞれ正面、背面、および側面図である。バイブレータ、振動板および振動ハウジングは、それらが構成要素の描画を覆い隠さないようにするために、全てこれらの図から省略される。これらの図また、様々な構成要素構造が様々なシート構造、構成要素アセンブリ要求に対応するように使用できることをもさらに例示する。
【００１８】
図３は、電子バイブレータの横断面図である。ハウジング２６は、バイブレータの機能要素が見えるように排除されている。電磁石４０は、Ｕ状金属振動開始装置４２上に搭載される。電磁石４０は、公知の方法で電子制御（図示せず）によって励磁される。最も好ましい実施形態では、アイシン（Ａｉｓｉｎ）製のバイブレータが、１Ｈｚ〜１２５Ｈｚの振動範囲で使用される。電流が加えられると、重い磁石４０はギャップ４４をわたり振動開始装置反対端４２ａに引きつけられ、それを打ち、ガイドロッド２内に、さらに乗員に振動を送る。制御設定により、電流が解放され、振動開始装置の形状の自然付勢力は、他の振動サイクルを起こさせるようにするために、電磁石４０を、ギャップ４４を再確立する位置に戻す。
【００１９】
動作時、シート着席乗員は、好ましい実施形態では水平方向に０〜５０ミリメートルの範囲で延びる圧力表面を所望程度のアーチに設定する。次に、シート着席乗員は、バイブレータのスイッチを投入し、その範囲を所望レートに設定する。バイブレータ電磁石は、それで設定サイクル時間に従って端部４２ａにおける振動開始装置を叩き、それらの振動はガイドロッド２、圧力表面４およびシートクッションを経て乗員に伝えられる。
【００２０】
図４および５は、本発明の他の実施形態を示す。けん引ワイヤ、ケーブル、ロッドなどは、様々な同等構造のランバサポートで配備される。１つのこのような構造は、けん引ワイヤをレバーアーム５０に取り付け、そのレバーアームを、圧力表面上部部材６と圧力表面下部部材８の間の接続を完成させる２本の間隔を空けて配置されたけん引ロッドまたはワイヤ５２に取り付ける。他の同等構造は、ボーデン索を二股に分け、ガイドワイヤ２と平行且つそれに近いランバサポートの外側縁に沿って２本の平行けん引ワイヤを走らせるものである。この構造のどちらも、ランバサポートアセンブリ内に中央スペースを造る。このようなスペースは、図４および５で示されるように、圧力表面の背面に直に取り付けられたバイブレータ５４の移動に対応するように本実施形態で使用される。バイブレータ５４は、図３に示されるような電磁石構造、または代わりにおよび同等に、偏心重量を持ったモータのような機械手段、他の動力手段、空気パルスシステム、または任意の他の標準バイブレータであっても良い。バイブレータがけん引ロッド５２間のスペース内に収まるならば、バイブレータを完全に密閉するハウジングが使用されても良く、あるいは部分的に包囲するハウジングが使用されても良い。バイブレータは、限定することなくボルト、リベット、溶接、事前構成されたスロットに挿入するロックタブなどを含む様々な公知の任意手段によってアーチ圧力表面に取り付けられても良い。
【００２１】
図６および７は本発明の他の実施形態を示す。アーチの頂点を様々な位置に位置決めするために圧力表面アセンブリ全体をガイドロッド上で上下に移動できるので乗員がその支持体をその人の好みに調整できるアーチ圧力表面形ランバサポートが開発されている。これらの実施形態では、プレートがガイドロッド上に搭載される。プレート６２は、第２のボーデン索６４のアンカであり、これは圧力表面を上昇または下降させるために使用される。プレート６２は固定位置に留まる。第２のボーデン索導管６６は、６８においてプレート６２にアンカ固定される。第２のボーデン索７０は、移動ブラケット７２を介して、圧力表面４に固定される。ブラケットは、圧力面の下部側に固定される。第２のボーデン索を締め付けると、圧力表面の形状を変化させることなく、ブラケット７２，および圧力表面４を引き上げる。バネ７４は、第２のボーデン索６４が緩められると、移動ブラケット７２を引き戻し、それによって圧力表面４を、その元位置に引き戻す。ガイドロッドと同じように、アンカプレート６２は、圧力表面アセンブリの全体がガイドロッドに沿って上下に移動される間、静止したままである。この垂直運動は、機械的によるか、または好ましくは電動機によって作動される。
【００２２】
この「四方」（内外、上下）構造により、バイブレータをアンカプレートに固定できる。これは、装置内振動板２０に加え、または好ましくはその代わりであっても良い。この実施形態の動作は、上述の「二方」ランバサポートの動作に匹敵する。
【００２３】
図７、「四方」実施形態の背面図は、振動ユニットを示すことなく描かれているので、移動ブラケット７２、および他の構成要素は覆い隠されない。振動ユニット２６は、取付穴７６で、アンカプレート６２にアンカ固定される。
【００２４】
図６、「四方」実施形態の側面図は、取り付けた振動ユニットと共に本発明の全体を描く。振動ユニット２６は、ボルト２４でアンカプレート６２に、それらの間に挟まる振動板２２と共に固定される。振動は、次に振動ユニット２６から、振動板２２、アンカプレート６２、ガイドロッド２、および圧力表面４を介して、シート着席乗員に伝えられる。
【００２５】
本発明の代替および同等の実施形態は、振動が圧力表面に直に伝えられるように、アーチ圧力表面の裏に近接した振動板に振動板から圧力表面の裏に至る垂直延長部を加えることである。延長部は、乗員によって選択されたアーチの程度に関係なく圧力表面とのその端部の接触状態を保つバネのような付勢装置を有する。
【００２６】
本発明は、あるいは、他のタイプのランバサポートで具現化されても良い。図８および９は、プッシュパドル形ランバサポートでの本発明の実施形態を示す。取付支持体１００は、シートフレーム上に搭載されるように構成される。取付支持体１００は、裏板またはロッドアセンブリであっても良い。ハウジング１０２は、取付支持体１００に固定される。ハウジング１０２は、ランバサポートパドル１０４のアーチ状摺動端部を包囲する対応アーチ状チャネルを含む。パドル１０４は、包囲された端部と反対側のその端部においてランバサポート表面に拡大する。緊密に提携して、ハウジング内のパドルの動きは、パドルがチャネルの局面に従って下方に摺動すると、乗員に向かってパドルを外側に広げる。
【００２７】
パドルの動きは、けん引ケーブル１０６または他の同等手段によって作動される。ボーデン索１１０は、ブラケット１０８において取付支持体１００にアンカ固定１０９される。
【００２８】
バイブレータ１１２は、ボルト１１４で取付支持体１００に固定される。振動板１１６は、取付支持体１００、ハウジング１０２または両方に取り付けられる。上述のように、バイブレータの動作は、振動を取付支持体１００、ハウジング１０２およびパドル１０４を介して乗員に伝えられる。
【００２９】
アーチ圧力表面形ランバサポートのように、パドル形支持体は、それらのランバサポート表面を上昇および下降させるように構成されても良い。ハウジング１０２は、基部上に搭載されても良く、その基部は裏板、ガイドロッド、または他の取付支持構成要素と摺動するように係合される。ハウジングは、第２のけん引機構に取り付けられるので、ハウジング基部、ハウジングおよびパドルの全アセンブリが上昇および下降されるので、パドルのランバサポート部分は乗員が選択するところに配置されても良い。
【００３０】
第３のタイプのランバサポートは、図１０および１１で示されるように、波状ワイヤを介して乗員の腰椎に圧力を加える。これらのワイヤは、シートフレーム（図示せず）に固定された周囲搭載ケーブル１４０に横から加えられるけん引力によって乗員に向かってアーチ状にされる。ボーデン索のような多数の公知手段のいずれかによって再び作動されるけん引ワイヤは、波状ランバサポートワイヤの取付位置においてまたはそれに近い周辺ワイヤに引っかけられる。
【００３１】
図１０で示された好ましい実施形態は、けん引力を加えるためにボーデン索１４２を使用する。ボーデン索導管１４４は、端部１４６において取付ブラケット１４８に固定される。可撓性半硬質波状ワイヤ１５０は、いずれかの端部において２つの取付ブラケット１４８のそれぞれに固定される。ボーデン索１５２は、それが１５４においてアンカ固定される他方の取付ブラケットに延びる。取付ブラケット１４８は、例えばケーブル１４０の回りで旋回する、レバーとして構成されても良いので、それらでのけん引力はブラケットを外側に回転させ、次に波状ワイヤ１５０をシート着席乗員に向かって突出させる。
【００３２】
バイブレータ２６は、前記波状ワイヤ１５０に直に取り付けられる。再びバイブレータハウジング２６は、振動板２０および２２にボルト締めされる。波状ワイヤ１５０は、振動板２０および２２の間に挟まれる。好ましい実施形態では、繊維状のマット１５６の素材が、波状ワイヤ１５０と振動板２０および２２との摩滅を減らすために、振動板２０および２２の間に配置されても良い。これは、本発明の全てのバージョンでのオプションである。
【００３３】
本発明の実施形態では、バイブレータは、波状ワイヤを一対の振動板でクランプ、それらを包囲することによってワイヤに固定される。バイブレータはそれでワイヤのアーチ形状で外側および内側に移動する。振動は、波状ワイヤに直に加えられ、次に乗員に加えられる。
【００３４】
図１２および１３は、本発明の他の実施形態を示す。他のタイプのランバサポートは、典型的にけん引によってシート着席乗員６４に向かって固定されるアーチ状になり得る圧力表面を造るワイヤアセンブリを使用する。図１２および１３で示された実施形態では、アーチ状になり得る圧力表面は、これらの素材が屈曲するという条件で、ロッド、堅いワイヤ、硬質ケーブル、または他の同等素材のような任意素材から製造できる境界要素２０８から構成される。これらの境界要素２０８は、一般に中間の側部位置で垂直整列して走る。これらの境界要素２０８は、複数の横方向ワイヤ部材２０６の搭載プラットフォームとして働き、それによってワイヤグリッドを形成する。境界要素２０８がアーチ状に屈曲すると、それらは横方向ワイヤ２０６をそれらと共に外側に運ぶ。
【００３５】
境界要素２０８の上部および下部極端部に加えられる収縮圧力は、上部ブラケット２０２および下部ブラケット２０４を介して加えられる。これらの取付ブラケット２０２および２０４の少なくとも一方は、ガイドレール２と摺動するように係合される。取付ブラケット２０２および２０４の他方は、前記ガイドレール２に固定されるか、またはそれらと摺動するように係合されても良い。堅いガイドレール２は、垂直に配置される実質的に平らな面に沿って、ブラケット２０２および２０４の一方または両方の動きを維持する。取付ブラケット２０２および２０４を有する境界要素２０８の接合部２１４および２１６は、圧縮圧力がブラケット２０２および２０４によって境界要素２０８に加えられると外側にアーチ状に湾曲させるように旋回または屈曲しても良い。
【００３６】
ブラケット２０２および２０４は、ボーデン索２１８で、ガイドレール２に沿って互いに向かうように移動される。ボーデン索導管２２０は、２１２における三角形上部ブラケット２０２の中間頂部にアンカ固定される。導管から、２１０において三角形下部取付ブラケット２０４の対応中間頂部に固定されるボーデン索ワイヤ２２２を延ばす。当然、同等の代わりになるものは、対向ブラケットの導管およびボーデン索の取付を逆にすることである。
【００３７】
前述同様、振動板２０および２２（２２は図１２では覆い隠されている）は、バイブレータ２６（これも隠れて見えない）を中央の多数の横方向ワイヤ２０６に固定するために使用される。
【００３８】
バイブレータ２６のハウジングを越えるボーデン索２２２の移動は、ガイド（２２４）によって仲介されても良い。代替的且つ同等にこのガイドは、ロール、溝などであっても良い。
【００３９】
本発明のこの構造の他の実施形態では、上部ブラケットおよび下部ブラケット２０２および２０４は、２本のボーデン索または分割ボーデン索を収容する先端を切り取った三角形、二尖頂付き三角形、矩形または他の形状であっても良い。この構造では、一方のブラケットの横方向中間位置に配置され、十分に間隔を空けて配置された２つのボーデン索導管アンカ２１２となるので、それらはバイブレータハウジング２６のいずれの側にも移動できる分割ボーデン索は、バイブレータハウジング２６の周りで横方向に、横方向中間位置の、これも他方のブラケット２０４に配置された、一対のアンカ２１０まで移動する。
【００４０】
代わりにおよび同等に、取付ブラケット２０２および２０４は、それらが、アーチ状になる横方向ワイヤグリッドでのバイブレータの内側および外側への移動の全ポイントにおいて、バイブレータハウジング２６との接触を回避するのに十分な短さになるように製造されても良い。ボーデン索はそれで、バイブレータハウジングを越えて、案内２２４されなければならない。取付ブラケットは、境界要素２０８、およびガイドワイヤ２とのそれらの接合部において、またはその近くで、すなわち接合部２１４および２１６において、またはその近くで旋回またはヒンジで動くように製造されても良い。これは、横方向ワイヤグリッドが平面となってバイブレータハウジング２６がその最も遠い後方範囲に達すると、バイブレータハウジング２６に必要なスペースを提供するために、シート着席乗員から遠い、後方に取付ブラケットが旋回運動できるようにする。
【００４１】
本発明は、電磁石バイブレータ−または代わりにおよび同等に、これらに限定されるものではないが、空気パルスシステムや偏荷重モータを含む、他のタイプのバイブレータとのランバサポートの組合せで具現化されても良い。
【００４２】
前述したことから、本発明の幾つかの利点が達成され、得られることが理解される。
【００４３】
これらの実施形態は、本発明の原理およびその実用化をより良く説明し、それにより当業者が本発明および様々な実施形態を、意図された特定の使用に適している様々な変形と共に、最大限利用できるようにするために選択され、記述された。
【００４４】
様々な変形が本発明の範囲を逸脱することなくここで記述され、例示された構造および方法に行われるとき、先の説明に包含されるかまたは添付の図で示された事柄の全ては、限定するものではなく例示するものと解釈されるべきものである。従って、本発明の趣旨および範囲は、ここに添付の請求項や他の同等のものにより定義されるものを除き、上述の例示的実施形態のいかなるものによっても限定されるものではない。
【図面の簡単な説明】
【００４５】
【図１】本発明の振動ランバサポートの側面図である。
【図２】本発明の振動ランバサポートの背面図である。
【図３】電磁石バイブレータの断面図である。
【図４】本発明の他の実施形態の側面図である。
【図５】本発明の他の実施形態の背面図である。
【図６】本発明の他の実施形態の側面図である。
【図７】本発明の他の実施形態の背面図である。
【図８】パドル形ランバサポートを使用する本発明の他の実施形態の側面図である。
【図９】パドル形ランバサポートを使用する本発明の他の実施形態の正面図である。
【図１０】波状ワイヤ形ランバサポートを使用する本発明の他の実施形態の背面図である。
【図１１】波状ワイヤ形ランバサポートを使用する本発明の他の実施形態の側面図である。
【図１２】ワイヤグリッドを使用する本発明の他の実施形態の正面図である。
【図１３】ワイヤグリッドを使用する本発明の他の実施形態の側面図である。
【図１４】バイブレータハウジングで覆われていない本発明の振動ランバサポートの正面図である。
【図１５】バイブレータハウジングで覆われていない本発明の振動ランバサポートの背面図である。
【図１６】バイブレータハウジングで覆われていない本発明の振動ランバサポートの側面図である。
【図１】
0004057525.tif 000002
【図２】
0004057525.tif 000003
【図３】
0004057525.tif 000004
【図４】
0004057525.tif 000005
【図５】
0004057525.tif 000006
【図６】
0004057525.tif 000007
【図７】
0004057525.tif 000008
【図８】
0004057525.tif 000009
【図９】
0004057525.tif 000010
【図１０】
0004057525.tif 000011
【図１１】
0004057525.tif 000012
【図１２】
0004057525.tif 000013
【図１３】
0004057525.tif 000014
【図１４】
0004057525.tif 000015
【図１５】
0004057525.tif 000016
【図１６】
0004057525.tif 000017